(57)【要約】【課題】薬注処理中に実行されたブロー処理により、薬剤が無駄に消費されるのを抑制する水処理システムを提供する。【解決手段】産業用設備と、薬剤供給手段１３４と、水質検出手段１３３と、ブロー手段１３６と、ブロー処理制御部２０１と、薬剤供給制御部２０２と、を備え、薬剤供給制御部２０２は、ブロー処理の実行後、薬剤供給処理の実行中に、次のブロー処理が実行された場合には、薬剤供給処理を中断させ、次のブロー処理の実行後、中断した薬剤供給処理を再開して、一つ前のブロー処理の実行後に供給水に産業用設備にすべき薬剤の残りの投入量分と、次のブロー処理中の補給水量又はブロー処理の実行時間に比例した薬剤の投入量とを合計した量の薬剤が産業用設備に供給されるように、薬剤供給手段１３４において薬剤供給処理を実行させる。【選択図】図２
2014061495.tif 000002
【特許請求の範囲】
【請求項１】
循環水系を有する産業用設備と、
前記産業用設備に薬剤を供給する薬剤供給処理を実行可能な薬剤供給手段と、
前記産業用設備の循環水系を流通する水の水質を検出水質値として出力する水質検出手段と、
前記産業用設備内から循環水系を流通する水の一部を排出すると共に、外部から補給水を前記産業用設備内に導入するブロー処理を実行可能なブロー手段と、
前記水質検出手段における検出水質値に応じて、前記ブロー手段においてブロー処理を実行させるブロー処理制御部と、
前記ブロー処理の実行後、ブロー処理中の補給水量又はブロー処理の実行時間に比例した投入量の薬剤が前記産業用設備に供給されるように、前記薬剤供給手段において前記薬剤供給処理を実行させる薬剤供給制御部と、を備え、
前記薬剤供給制御部は、前記ブロー処理の実行後、前記薬剤供給処理の実行中に、次のブロー処理が実行された場合には、前記薬剤供給処理を中断させ、前記次のブロー処理の実行後、中断した前記薬剤供給処理を再開して、一つ前の前記ブロー処理の実行後に供給水に前記産業用設備にすべき薬剤の残りの投入量分と、前記次のブロー処理中の補給水量又は前記ブロー処理の実行時間に比例した薬剤の投入量とを合計した量の薬剤が前記産業用設備に供給されるように、前記薬剤供給手段において前記薬剤供給処理を実行させる、
水処理システム。
【請求項２】
前記薬剤供給制御部は、前記産業用設備の運転中であり、且つ前記ブロー手段において、予め設定された許容期間を超過しても前記ブロー処理が実行されない場合には、前記薬剤供給手段において前記薬剤供給処理を実行させる、
請求項１に記載の水処理システム。
【発明の詳細な説明】
【技術分野】
【０００１】
本発明は、循環水系を有する産業用設備を備えた水処理システムに関する。
【背景技術】
【０００２】
従来、商業ビル、工業プラント等には、循環水系を有する各種の産業用設備が設置されている。例えば、循環水系を有する産業用設備として冷却塔が知られている。この冷却塔を備えた水処理システムでは、空調機や冷凍機に組み込まれた熱交換器等の被冷却装置（冷却負荷装置）を冷却するための冷却水が用いられる。冷却水は、その節約を図る観点から、冷却塔で冷却しながら循環して用いられる（以下、循環する冷却水を「循環水」ともいう）。また、水処理システムにおいて、循環水は、循環水系を介して冷却塔と被冷却装置との間を循環する。
【０００３】
循環水は、冷却塔で冷却される際にその一部が蒸発する。そのため、循環水を継続的に循環させると、循環水の濃縮度が徐々に高くなり、水質が悪化する。そこで、循環水の水質を改善するために、外部から定期的に新鮮な水（補給水）を補給すると共に、濃縮度の高い循環水の一部を外部に排出して循環水を希釈する、いわゆるブロー処理が実行される。また、循環水又は補給水に、スケール防止剤や防食剤等の薬剤を供給する処理（以下、「薬注処理」ともいう）も実行される。
【０００４】
従来、供給する薬剤の無駄を少なくするために、ブロー処理中は薬注処理を行わず、ブロー処理の実行後に、ブロー処理の実行時間に比例した薬剤の投入量で薬注処理する水処理システムが提案されている（特許文献１，２参照）。
【先行技術文献】
【特許文献】
【０００５】
【特許文献１】特開平１１−６３７４６号公報
【特許文献２】特開２０１１−２４７４４７号公報
【発明の概要】
【発明が解決しようとする課題】
【０００６】
上述した従来の水処理システムは、ブロー処理の実行中において、薬注処理を停止させることを特徴とする。しかし、ブロー処理の実行後、停止させた薬注処理を実行している間に、更に次のブロー処理が実行されることがある。その場合、従来の水処理システムでは、次のブロー処理において、薬注処理により供給された薬剤が直ちに循環水の一部と共に系外に排出されてしまい、薬剤の無駄が発生するおそれがあった。
【０００７】
従って、本発明は、停止させた薬注処理の実行中に開始されるブロー処理により、薬剤が無駄に消費されるのを抑制することができる水処理システムを提供することを目的とする。
【課題を解決するための手段】
【０００８】
本発明は、循環水系を有する産業用設備と、前記産業用設備に薬剤を供給する薬剤供給処理を実行可能な薬剤供給手段と、前記産業用設備の循環水系を流通する水の水質を検出水質値として出力する水質検出手段と、前記産業用設備内から循環水系を流通する水の一部を排出すると共に、外部から補給水を前記産業用設備内に導入するブロー処理を実行可能なブロー手段と、前記水質検出手段における検出水質値に応じて、前記ブロー手段においてブロー処理を実行させるブロー処理制御部と、前記ブロー処理の実行後、ブロー処理中の補給水量又はブロー処理の実行時間に比例した投入量の薬剤が前記産業用設備に供給されるように、前記薬剤供給手段において前記薬剤供給処理を実行させる薬剤供給制御部と、を備え、前記薬剤供給制御部は、前記ブロー処理の実行後、前記薬剤供給処理の実行中に、次のブロー処理が実行された場合には、前記薬剤供給処理を中断させ、前記次のブロー処理の実行後、中断した前記薬剤供給処理を再開して、一つ前の前記ブロー処理の実行後に供給水に前記産業用設備にすべき薬剤の残りの投入量分と、前記次のブロー処理中の補給水量又は前記ブロー処理の実行時間に比例した薬剤の投入量とを合計した量の薬剤が前記産業用設備に供給されるように、前記薬剤供給手段において前記薬剤供給処理を実行させる水処理システムに関する。
【０００９】
また、前記薬剤供給制御部は、前記産業用設備の運転中であり、且つ前記ブロー手段において、予め設定された許容期間を超過しても前記ブロー処理が実行されない場合には、前記薬剤供給手段において前記薬剤供給処理を実行させることが好ましい。
【発明の効果】
【００１０】
本発明によれば、停止させた薬注処理の実行中に開始されるブロー処理により、薬剤が無駄に消費されるのを抑制できる水処理システムを提供することができる。
【図面の簡単な説明】
【００１１】
【図１】実施形態の水処理システム１を示す概略構成図である。
【図２】実施形態の水処理システム１の制御に係る機能ブロック図である。
【図３】（Ａ）、（Ｂ）は水処理システム１において薬注処理を実行するタイミングを示すタイムチャートである。
【図４】水処理システム１において補助薬注処理を実行するタイミングを示すタイムチャートである。
【図５】制御部２００においてブロー処理の制御を実行する場合の処理手順を示すフローチャートである。
【図６】制御部２００において薬注処理の制御を実行する場合の処理手順を示すフローチャートである。
【図７】制御部２００において補助薬注処理の制御を実行する場合の処理手順を示すフローチャートである。
【図８】制御部２００において補助薬注処理の制御を実行する場合の処理手順を示すフローチャートである。
【発明を実施するための形態】
【００１２】
以下、図面を参照して、本実施形態の水処理システム１の概略構成について説明する。図１は、本実施形態の水処理システム１を示す概略構成図である。図２は、水処理システム１の制御に係る機能ブロック図である。
【００１３】
図１に示すように、本実施形態の水処理システム１は、空調機や冷凍機に組み込まれた熱交換器等の被冷却装置１３１を冷却するために、循環水Ｗ２（冷却水）を循環させるシステムである。循環水Ｗ２は、その節約を図る観点から、冷却塔１２０で冷却しながら循環して用いられる。本実施形態において、産業用設備としての冷却塔１２０は、いわゆる開放式冷却塔である。
【００１４】
本実施形態の水処理システム１は、主な構成として、冷却塔１２０と、被冷却装置１３１と、水質検出手段としての電気伝導率センサ１３３と、薬剤供給手段としての薬剤供給装置１３４と、システム制御装置１００と、を備える。また、水処理システム１は、主なラインとして、循環水系としての循環水ラインＬ１１０と、補給水ラインＬ１２０と、を備える。なお、「ライン」とは、流路、経路、管路等の流体の流通が可能なラインの総称である。また、図１では、電気的な接続の経路を破線で示している。
【００１５】
冷却塔１２０は、補給水Ｗ１が供給されると共に、この補給水Ｗ１を循環水Ｗ２として被冷却装置１３１へ供給し、被冷却装置１３１から回収（返送）される循環水Ｗ２を冷却する設備である。冷却塔１２０は、塔本体１２１と、貯留部１２２と、を備える。また、冷却塔１２０は、循環水ラインＬ１１０と共に循環水系を構成する。
【００１６】
塔本体１２１は、冷却塔１２０の外郭を形成する筐体である。塔本体１２１は、散水部、ファン、開口部、ルーバー等からなる循環水冷却部（不図示）を有する。循環水Ｗ２は、循環水冷却部により冷却され、貯留部１２２に落下する。塔本体１２１の下部には、貯留部１２２が設けられている。
【００１７】
貯留部１２２は、循環水冷却部で冷却された循環水Ｗ２を貯留する部位である。貯留部１２２は、塔本体１２１の下部に設けられている。貯留部１２２の底部には、循環水ラインＬ１１０の循環水供給ラインＬ１１１（後述）が接続されている。貯留部１２２に貯留された循環水Ｗ２は、循環水供給ラインＬ１１１を介して被冷却装置１３１へ供給される。なお、貯留部１２２には、後述するブロー手段としての給水栓１３７及び流入口１３８が設けられている。
【００１８】
循環水ラインＬ１１０は、冷却塔１２０と被冷却装置１３１との間で循環水Ｗ２を循環させるラインである。循環水ラインＬ１１０は、循環水供給ラインＬ１１１と、循環水回収ラインＬ１１２と、を有する。
【００１９】
循環水供給ラインＬ１１１は、冷却塔１２０の貯留部１２２と被冷却装置１３１との間を接続する。貯留部１２２に貯留された循環水Ｗ２は、循環水供給ラインＬ１１１を介して被冷却装置１３１に供給される。
【００２０】
循環水供給ラインＬ１１１の途中には、循環水ポンプ１３２が設けられている。循環水ポンプ１３２は、循環水ラインＬ１１０（循環水供給ラインＬ１１１、循環水回収ラインＬ１１２）の上流側から下流側へ向けて、循環水Ｗ２を送り出すことができる。循環水ポンプ１３２は、システム制御装置１００と電気的に接続されている。循環水ポンプ１３２の運転（駆動及び停止）は、システム制御装置１００から出力されるポンプ運転信号により制御される。
【００２１】
循環水回収ラインＬ１１２は、被冷却装置１３１と冷却塔１２０との間を接続するラインである。被冷却装置１３１において熱交換により加温された循環水Ｗ２は、循環水回収ラインＬ１１２を介して冷却塔１２０の循環水冷却部（不図示）に回収される。
【００２２】
被冷却装置１３１は、循環水Ｗ２による冷却が必要な熱交換器等の各種装置である。被冷却装置１３１は、例えば、各種の化学プラントのターボ冷凍機や吸収冷凍機、建築物の空調用冷却機、食品工場の冷水製造機や真空冷却機等である。
【００２３】
被冷却装置１３１において、循環水流路の一方の端部には、循環水供給ラインＬ１１１の下流側の端部が接続されている。また、被冷却装置１３１において、循環水流路の他方の端部には、循環水回収ラインＬ１１２の上流側の端部が接続されている。
【００２４】
電気伝導率センサ１３３は、循環水ラインＬ１１０を流通する循環水Ｗ２の水質を測定して、検出電気伝導率値（検出水質値）として出力する装置である。電気伝導率センサ１３３は、接続部Ｊ１において循環水供給ラインＬ１１１に接続されている。接続部Ｊ１は、循環水ポンプ１３２と被冷却装置１３１との間に配置されている。電気伝導率センサ１３３は、システム制御装置１００と電気的に接続されている。電気伝導率センサ１３３で測定された検出電気伝導率値（以下、「電気伝導率ＥＣ」ともいう）は、システム制御装置１００へ送信される。電気伝導率センサ１３３は、所定の時間間隔（又はリアルタイム）で循環水Ｗ２の電気伝導率を測定し、システム制御装置１００へ電気伝導率ＥＣを送信する。
【００２５】
薬剤供給装置１３４は、循環水Ｗ２へ薬剤としてのスケール防止剤、防食剤、及び殺菌剤を供給する薬注処理を実行可能な装置である。薬剤供給装置１３４は、接続部Ｊ２において循環水供給ラインＬ１１１に接続されている。接続部Ｊ２は、接続部Ｊ１と被冷却装置１３１との間に配置されている。
【００２６】
スケール防止剤は、水中でのスケールの成長、或いは配管表面等へのスケールの堆積を防止するために用いられる薬品である。防食剤は、主に配管系等における全面腐食、或いはピッチング等の部分腐食の発生を抑制するために用いられる薬品である。殺菌剤は、水中における微生物の繁殖を抑制するために用いられる薬品であり、スライムコントロール剤とも呼ばれる。本実施形態では、スケール防止剤、防食剤、及び殺菌剤を総称して「薬剤」という。
【００２７】
スケール防止剤、防食剤、及び殺菌剤は、それぞれの薬剤タンク及び薬剤供給ポンプ（不図示）から循環水供給ラインＬ１１１に供給される。薬剤供給ポンプは、各薬剤タンクに貯留された薬剤を同時に循環水供給ラインＬ１１１へ送り出す設備である。
【００２８】
本実施形態の薬剤供給ポンプは、電磁駆動ダイアフラム式の定量ポンプである。薬剤供給ポンプとして、電磁駆動ダイアフラム式の定量ポンプを用いた場合、ダイアフラムの弁体が往復運動することにより、薬剤が断続的に循環水Ｗ２に供給される。
【００２９】
薬剤供給ポンプは、１ストローク当たりの吐出量［ｍＬ／ストローク］を所定値に設定し、且つストローク数［ストローク／分］を増減することにより、薬剤の吐出流量［ｍＬ／分］を制御できる。ストローク数とは、単位時間当たりに弁体が往復運動する回数をいい、弁体の１往復が１ストロークに相当する。薬剤供給ポンプは、システム制御装置１００と電気的に接続されている。薬剤供給ポンプは、システム制御装置１００からポンプ駆動信号（パルス信号）が出力されると、そのパルス幅の期間（以下、「運転時間」ともいう）に亘って、指定されたストローク数での薬剤の投入を実行する。
【００３０】
なお、本実施形態では、一つの薬剤供給装置１３４からスケール防止剤、防食剤、及び殺菌剤を配合した複合薬剤を供給する例について説明するが、スケール防止剤及び防食剤と、殺菌剤とをそれぞれ個別の薬剤供給装置で供給してもよい。
【００３１】
また、冷却塔１２０には、補給水ラインＬ１２０が接続されている。補給水ラインＬ１２０は、補給水Ｗ１を冷却塔１２０の貯留部１２２へ補給するラインである。補給水ラインＬ１２０の上流側は、水道水や工業用水等の補給水Ｗ１の供給源（不図示）に接続された第１補給水ラインＬ１２１である。一方、補給水ラインＬ１２０の下流側は、分岐部Ｊ３において、第２補給水ラインＬ１２２及び第３補給水ラインＬ１２３に分岐している。分岐部Ｊ３は、補給水Ｗ１の供給源と冷却塔１２０との間に配置されている。
【００３２】
第２補給水ラインＬ１２２の下流側の端部は、冷却塔１２０の塔本体１２１に接続されている。第２補給水ラインＬ１２２において、分岐部Ｊ３と冷却塔１２０との間には、補給水バルブ１３６が設けられている。
【００３３】
補給水バルブ１３６は、第２補給水ラインＬ１２２を開閉することにより、貯留部１２２に対して補給水Ｗ１を強制的に供給する給水設備である。補給水バルブ１３６は、システム制御装置１００と電気的に接続されている。補給水バルブ１３６における弁体の開閉状態（開状態／閉状態）は、システム制御装置１００（ブロー処理制御部２０１）から出力されるバルブ駆動信号により制御される。
【００３４】
第３補給水ラインＬ１２３の下流側の端部は、冷却塔１２０の塔本体１２１に接続されている。第３補給水ラインＬ１２３の下流側の端部には、給水栓１３７が設けられている。給水栓１３７は、貯留部１２２に貯留される循環水Ｗ２の水位（すなわち、水量）を管理するボールタップ式の給水設備である。循環水Ｗ２の蒸発損失及び飛散損失により貯留部１２２の水位が低下すると、給水栓１３７のボールタップが作動し、第３補給水ラインＬ１２３を流通する補給水Ｗ１が貯留部１２２に補給される。
【００３５】
排水ラインＬ１３０は、貯留部１２２の内部に立設され、下方に延びている。排水ラインＬ１３０の上流側の端部は、循環水Ｗ２の流入口１３８を形成する。流入口１３８は、給水栓１３７の管理水位よりも上方に開口している。一方、排水ラインＬ１３０の下流側の端部は、貯留部１２２の外部に通じている。排水ラインＬ１３０は、後述するブロー処理において、補給水バルブ１３６が開状態となり補給水Ｗ１が強制的に供給された場合に、冷却塔１２０の貯留部１２２から溢れた循環水Ｗ２を、水処理システム１の系外に排出するラインである。
【００３６】
本実施形態において、補給水バルブ１３６及び流入口１３８は、補給水Ｗ１を冷却塔１２０に補給しながら、循環水Ｗ２の一部を冷却塔１２０から排出するブロー処理を実行可能なブロー手段を構成する。
【００３７】
次に、図２を参照して、本実施形態の水処理システム１の制御に係る機能について説明する。
【００３８】
システム制御装置１００は、本実施形態の水処理システム１における各部の動作を制御する。図２に示すように、システム制御装置１００は、例えば、循環水ポンプ１３２、薬剤供給装置１３４、及び補給水バルブ１３６に電気的に接続される。
【００３９】
また、システム制御装置１００は、水処理システム１の測定装置（不図示を含む）と電気的に接続され、これら測定装置から測定情報を受信する。例えば、システム制御装置１００は、測定装置としての電気伝導率センサ１３３と電気的に接続される。システム制御装置１００において、各測定装置から受信した最新の測定情報は、適宜、メモリ３００に記憶される。
【００４０】
システム制御装置１００は、制御部２００と、メモリ３００と、を備える。制御部２００は、ブロー処理制御部２０１と、薬剤供給制御部としての薬注制御部２０２と、計時部２０３と、を有する。制御部２００におけるブロー処理制御部２０１、薬注制御部２０２、及び計時部２０３の機能は、ＣＰＵ及び内部メモリ含むマイクロプロセッサ（不図示）により実現される。
【００４１】
ブロー処理制御部２０１は、電気伝導率センサ１３３で検出された循環水Ｗ２の電気伝導率ＥＣが、予め設定された許容水質値としての上限閾値ＥＣｂ１以上となった場合には、補給水バルブ１３６を開状態として、冷却塔１２０において循環水Ｗ２のブロー処理を実行させる。上限閾値ＥＣｂ１は、例えば、スケール防止剤及び防食剤の効果の持続性を担保できる濃縮倍数を考慮して決定される。
【００４２】
ブロー処理制御部２０１は、ブロー処理として、循環水Ｗ２の排水及び補給水Ｗ１の補給を同時に（又は連続して）実施する。具体的には、ブロー処理制御部２０１は、電気伝導率ＥＣ≧上限閾値ＥＣｂ１となった場合、すなわち循環水Ｗ２の水質が悪化した場合に、補給水バルブ１３６を開状態として、第２補給水ラインＬ１２２を通じて新鮮な補給水Ｗ１を貯留部１２２に強制的に補給する。補給水Ｗ１が補給されると、貯留部１２２の水位が上昇するため、流入口１３８から溢れた循環水Ｗ２が排水ラインＬ１３０を通じて外部に排出される。すなわち、ブロー処理が実行されると、濃縮の進んだ循環水Ｗ２の一部が補給水Ｗ１と入れ替わるため、循環水ラインＬ１１０における循環水Ｗ２の電気伝導率ＥＣが全体的に低下する。
【００４３】
そして、ブロー処理制御部２０１は、補給水バルブ１３６を開状態とした後、電気伝導率ＥＣ≦下限閾値ＥＣｂ２となった場合、すなわち循環水Ｗ２の水質が回復した場合に、補給水バルブ１３６を閉状態として、補給水Ｗ１の補給を停止させる。なお、当然ながら、ブロー処理の開始点である上限閾値ＥＣｂ１とブロー処理の終了点である下限閾値ＥＣｂ２との関係は、上限閾値ＥＣｂ１＞下限閾値ＥＣｂ２である。
【００４４】
ブロー処理制御部２０１は、ブロー処理を開始する際に、薬注制御部２０２に外部停止信号（インターロック信号）を出力する。外部停止信号は、ブロー処理の実行を通知するための信号である。また、ブロー処理制御部２０１は、ブロー処理が終了した際に、薬注制御部２０２への外部停止信号の出力を停止する。
【００４５】
薬注制御部２０２は、ブロー処理制御部２０１によるブロー処理の実行後に、ブロー処理の実行時間Ｔ（後述のＴ１、Ｔ２等）に比例した薬剤が循環水Ｗ２に供給されるように、薬剤供給装置１３４においてブロー追従薬注による薬注処理を実行させる。
【００４６】
薬注制御部２０２は、ブロー処理中における補給水バルブ１３６の開時間を、ブロー処理の実行時間Ｔ１として計時部２０３（後述）に計時させる。薬注制御部２０２は、ブロー処理制御部２０１から外部停止信号が出力されたときに、計時部２０３を起動して、ブロー処理の実行時間Ｔ１の計時をスタートさせる。また、薬注制御部２０２は、ブロー処理制御部２０１からの外部停止信号の出力が停止すると、計時部２０３において、ブロー処理の実行時間Ｔ１の計時をリセットさせ、計時されたブロー処理の実行時間Ｔ１をメモリ３００に記憶する。
【００４７】
薬注制御部２０２は、ブロー処理制御部２０１から外部停止信号が出力されたときに、ブロー処理が開始（実行）されたと判定する。また、薬注制御部２０２は、ブロー処理制御部２０１から外部停止信号の出力が停止したときに、ブロー処理が終了したと判定する。
【００４８】
薬注制御部２０２は、ブロー処理の実行後に、計時部２０３により計時されたブロー処理の実行時間Ｔ１をメモリ３００から取得し、ブロー処理の実行時間Ｔ１に比例した薬剤の投入量を算出すると共に、算出した薬剤の投入量に対応したパルス幅を有するポンプ駆動信号を薬剤供給装置１３４に出力する。これにより、薬剤供給装置１３４の薬剤供給ポンプ（不図示）では、薬注制御部２０２から出力されたポンプ駆動信号のパルス幅の期間（運転時間）に亘って、指定されたストローク数で薬剤の投入が実行され、必要量の薬剤が循環水Ｗ２に供給される。
【００４９】
薬注制御部２０２は、薬注処理の実行中に、次のブロー処理が実行された場合には、薬剤供給装置１３４による薬注処理の実行を中断させる。このとき、薬注制御部２０２は、中断させた薬注処理において循環水Ｗ２に供給されなかった薬剤の投入量分をメモリ３００に記憶する。また、薬注制御部２０２は、次のブロー処理中における補給水バルブ１３６の開時間を、ブロー処理の実行時間Ｔ２として計時部２０３に計時させる。
【００５０】
そして、薬注制御部２０２は、次のブロー処理の実行後に、計時部２０３により計時された次のブロー処理の実行時間Ｔ２をメモリ３００から取得し、次のブロー処理の実行時間Ｔ２に比例した薬剤の投入量を算出する。
【００５１】
そして、薬注制御部２０２は、次のブロー処理の実行後に、メモリ３００に記憶した薬剤の投入量分と、次のブロー処理の実行時間Ｔ２に比例した薬剤の投入量分とを合計した量（以下、「合計量」ともいう）の薬剤が循環水Ｗ２に供給されるように、薬剤の合計量に対応したパルス幅を有するポンプ駆動信号を薬剤供給装置１３４に出力する。
【００５２】
また、薬注制御部２０２は、冷却塔１２０の運転中であり、且つ補給水バルブ１３６が閉状態となりブロー処理が実行されない期間（後述する滞留時間ＴＴ）が予め設定された許容期間を超過した場合には、薬剤供給装置１３４において薬注処理（以下、「補助薬注処理」ともいう）を実行させる。補助薬注処理では、予め設定された投入量の薬剤が循環水Ｗ２に供給される。
【００５３】
薬注制御部２０２は、システム制御装置１００から循環水ポンプ１３２へ出力されるポンプ運転信号に基づいて、冷却塔１２０の運転状態を判定する。すなわち、薬注制御部２０２は、システム制御装置１００から循環水ポンプ１３２へポンプ運転信号が出力されている場合には、冷却塔１２０が運転中であると判定する。また、薬注制御部２０２は、システム制御装置１００から循環水ポンプ１３２へポンプ運転信号が出力されていない場合には、冷却塔１２０が運転停止中であると判定する。
【００５４】
ブロー処理が実行されない期間（滞留時間ＴＴ）は、計時部２０３（後述）により計時される。薬注制御部２０２は、補給水バルブ１３６が閉状態となってから経過した時間を、計時部２０３に滞留時間ＴＴとして計時させる。そして、薬注制御部２０２は、計時部２０３の計時する滞留時間ＴＴが予め設定された許容滞留時間ＴＷを超過した場合に、所定の投入量の薬剤が循環水Ｗ２に供給されるように、薬剤供給装置１３４において補助薬注処理を実行させる。
【００５５】
薬注制御部２０２は、補給水バルブ１３６が閉状態となった後、計時部２０３を起動して、滞留時間ＴＴの計時をスタートさせる。また、薬注制御部２０２は、計時部２０３の計時する滞留時間ＴＴが予め設定された許容滞留時間ＴＷを超過する前に、補給水バルブ１３６が開状態となった場合には、計時部２０３における滞留時間ＴＴの計時をリセットさせる。なお、薬注制御部２０２は、ブロー処理制御部２０１から補給水バルブ１３６へ出力されるバルブ駆動信号により、補給水バルブ１３６の弁体の開閉状態を判定する。
【００５６】
薬注制御部２０２は、補助薬注処理を実行させている間に、ブロー処理が実行された場合には、薬剤供給装置１３４による補助薬注処理の実行を終了させる。そして、先に説明した薬注処理と同じく、薬注制御部２０２は、そのブロー処理の実行後に、ブロー処理の実行時間Ｔ３に比例した薬剤の投入量の薬剤が循環水Ｗ２に供給されるように、薬剤供給装置１３４において薬注処理を実行させる。
【００５７】
計時部２０３は、ブロー処理中における補給水バルブ１３６の開時間を、ブロー処理の実行時間Ｔ（Ｔ１、Ｔ２等）として計時する。また、計時部２０３は、補給水バルブ１３６の閉時間、すなわちブロー処理が実行されない期間を、滞留時間ＴＴとして計時する。
【００５８】
メモリ３００は、ブロー処理及び薬注処理に関する各種のデータを記憶する記憶装置である。例えば、メモリ３００には、電気伝導率ＥＣ（更新値）、ブロー処理の開始点である上限閾値ＥＣｂ１（設定値）、ブロー処理の終了点である下限閾値ＥＣｂ２（設定値）、中断させた薬注処理又は補助薬注処理において循環水Ｗ２に供給されなかった薬剤の投入量分ＱＸ、ブロー処理の実行時間Ｔ（Ｔ１、Ｔ２等）、滞留時間ＴＴ等が記憶される。
【００５９】
次に、水処理システム１において、上述した薬注処理及び補助薬注処理を実行するタイミングについて説明する。図３は、水処理システム１において、薬注処理を実行するタイミングを示すタイムチャートである。図４は、水処理システム１において、補助薬注処理を実行するタイミングを示すタイムチャートである。
【００６０】
まず、薬注処理を実行する場合における薬注制御部２０２の動作について、図３を参照して説明する。図３において、（Ａ）は、ブロー処理の実行後に薬注処理を実行する場合のタイムチャートである。（Ｂ）は、薬注処理の実行中に次のブロー処理が実行された場合のタイムチャートである。
【００６１】
なお、図３及び図４おいて、「ブロー動作」は、ブロー処理の実行時間（補給水バルブ１３６の開時間）を示す。「薬注動作」は、薬剤供給装置１３４（薬剤供給ポンプ）の運転時間を示す。なお、図３及び図４に示す波形は、それぞれの時間間隔を概念的な長さで示しており、実際の時間間隔とは対応していない。また、薬注動作においては、循環水Ｗ２に供給される薬剤の投入量Ｑ（Ｑ１、Ｑ２等）を、その投入量に比例したパルス幅（時間）で示す。
【００６２】
図３（Ａ）に示すように、薬注制御部２０２は、ブロー処理Ａの実行後、薬剤供給装置１３４において薬注処理ａを実行させる。ブロー処理Ａの実行中は、補給水バルブ１３６の開時間が計時部２０３により計時され、ブロー処理Ａの実行時間Ｔ１としてメモリ３００に記憶される。薬注制御部２０２は、ブロー処理Ａの実行後に、計時部２０３により計時されたブロー処理の実行時間Ｔ１をメモリ３００から取得し、ブロー処理Ａの実行時間Ｔ１に比例した薬剤の投入量Ｑ１に対応したパルス幅を有するポンプ駆動信号を薬剤供給装置１３４に出力する。これにより、薬剤供給装置１３４において、薬注処理ａが実行される。
【００６３】
次に、図３（Ｂ）に示すように、薬注処理ａの実行中に、次のブロー処理Ｂが実行された場合、薬注制御部２０２は、ブロー処理Ｂが終了するまで薬剤供給装置１３４へのポンプ駆動信号の出力を停止して、薬注処理ａの実行を中断させる。このとき、中断された薬注処理ａにおいて循環水Ｗ２に供給されなかった薬剤の投入量分ＱＸがメモリ３００に記憶される。また、ブロー処理Ｂの実行中は、補給水バルブ１３６の開時間がブロー処理Ｂの実行時間Ｔ２として計時部２０３により計時される。計時部２０３によるブロー処理Ｂの実行時間Ｔ２の計時は、ブロー処理Ｂの実行後にリセットされる。そして、計時部２０３により計時されたブロー処理Ｂの実行時間Ｔ２は、メモリ３００に記憶される。
【００６４】
薬注制御部２０２は、ブロー処理Ｂの実行後に、中断された薬注処理ａにおいて循環水Ｗ２に供給されなかった薬剤の投入量分ＱＸと、計時部２０３により計時されたブロー処理Ｂの実行時間Ｔ２とをメモリ３００から取得する。そして、薬注制御部２０２は、薬剤の投入量分ＱＸと、ブロー処理Ｂの実行時間Ｔ２に比例した薬剤の投入量分Ｑ２とを合計した量（ＱＸ＋Ｑ２）の薬剤が循環水Ｗ２に供給されるように、薬剤の合計量（ＱＸ＋Ｑ２）に対応したパルス幅を有するポンプ駆動信号を薬剤供給装置１３４に出力する。これにより、薬剤供給装置１３４において、薬注処理ａ´が実行（再開）される。
【００６５】
次に、補助薬注処理を実行する場合における薬注制御部２０２の動作について、図４を参照して説明する。補助薬注処理は、冷却塔１２０の運転中において実行される。
【００６６】
図４に示すように、ブロー処理Ａの実行後、次のブロー処理が実行されない期間（滞留時間ＴＴ）が予め設定された許容滞留時間Ｔｗを超過した場合、薬注制御部２０２は、薬剤供給装置１３４において補助薬注処理ｂを実行させる。補助薬注処理ｂでは、予め設定された投入量Ｑ３の薬剤が循環水Ｗ２に供給される。
【００６７】
また、補助薬注処理ｂの実行中に、ブロー処理Ｂが実行された場合、薬注制御部２０２は、投入量Ｑ３の薬剤供給の完了を待たずに、薬剤供給装置１３４へのポンプ駆動信号の出力を停止して、補助薬注処理ｂの実行を終了させる。ブロー処理Ｂの実行中は、補給水バルブ１３６の開時間がブロー処理Ｂの実行時間Ｔ３として計時部２０３により計時される。計時部２０３によるブロー処理Ｂの実行時間Ｔ３の計時は、ブロー処理Ｂの実行後にリセットされる。そして、計時部２０３により計時されたブロー処理Ｂの実行時間Ｔ３は、メモリ３００に記憶される。
【００６８】
薬注制御部２０２は、ブロー処理Ｂの実行後に、計時部２０３により計時されたブロー処理Ｂの実行時間Ｔ３をメモリ３００から取得する。そして、ブロー処理Ｂの実行時間Ｔ３に比例した薬剤の投入量Ｑ４に対応したパルス幅を有するポンプ駆動信号を薬剤供給装置１３４に出力する。これにより、薬剤供給装置１３４において、薬注処理ｂ´が実行（再開）される。
【００６９】
ここで、薬注制御部２０２は、終了させた補助薬注処理ｂにおいて循環水Ｗ２に供給されなかった薬剤の投入量分ＱＸについては、薬注処理を実行しない。補助薬注処理は、循環水Ｗ２の長時間の滞留に伴う薬効の低下や喪失を補うものとして実行される。ブロー処理Ｂが実行されれば、その後の薬注処理ｂ´により新規の薬剤が供給され、循環水Ｗ２中の薬剤が入れ替わる。そのため、ブロー処理Ｂの実行後においては、薬注処理ｂ´で必要となる投入量Ｑ４を超える薬注処理は無駄となるため、実行しないようにしている。
【００７０】
次に、本実施形態の水処理システム１において、制御部２００により実行されるブロー処理及び薬注処理の動作を、図５〜図８のフローチャートを参照して説明する。
【００７１】
まず、ブロー処理の制御について説明する。図５は、制御部２００においてブロー処理の制御を実行する場合の処理手順を示すフローチャートである。図５に示すフローチャートの制御は、メモリ３００に記憶された制御プログラムに基づいて、制御部２００のブロー処理制御部２０１により実行される。また、図５に示すフローチャートの処理は、水処理システム１の運転中において、繰り返し実行される。
【００７２】
図５に示すステップＳＴ１０１において、ブロー処理制御部２０１は、電気伝導率センサ１３３で測定された循環水Ｗ２の電気伝導率ＥＣ、及びブロー処理の開始点である上限閾値ＥＣｂ１をメモリ３００から取得する。
【００７３】
ステップＳＴ１０２において、ブロー処理制御部２０１は、電気伝導率ＥＣが上限閾値ＥＣｂ１以上か否かを判定する。このステップＳＴ１０２において、ブロー処理制御部２０１により、電気伝導率ＥＣ≧上限閾値ＥＣｂ１である（ＹＥＳ）と判定された場合には、循環水Ｗ２の濃縮倍率が所定の濃縮倍率に達したため、処理はステップＳＴ１０３へ移行する。また、ステップＳＴ１０２において、ブロー処理制御部２０１により、電気伝導率ＥＣ＜上限閾値ＥＣｂ１である（ＮＯ）と判定された場合には、循環水Ｗ２の濃縮倍率が所定の濃縮倍率に達していないため、処理はステップＳＴ１０１へ戻る。
【００７４】
ステップＳＴ１０３（ステップＳＴ１０２：ＹＥＳ）において、ブロー処理制御部２０１は、補給水バルブ１３６を開状態として、ブロー処理を開始する。
【００７５】
ステップＳＴ１０３においてブロー処理を実行することにより、補給水Ｗ１が冷却塔１２０の貯留部１２２に強制的に補給される一方、貯留部１２２に滞留する循環水Ｗ２の一部が排水ラインＬ１３０から外部に排出されるため、循環水Ｗ２の電気伝導率ＥＣは徐々に低下する。
【００７６】
ステップＳＴ１０４において、ブロー処理制御部２０１は、電気伝導率センサ１３３で測定された循環水Ｗ２の電気伝導率ＥＣ、及びブロー処理の終了点である下限閾値ＥＣｂ２をメモリ３００から取得する。
【００７７】
ステップＳＴ１０５において、ブロー処理制御部２０１は、電気伝導率ＥＣが下限閾値ＥＣｂ２以下か否かを判定する。このステップＳＴ１０５において、ブロー処理制御部２０１により、電気伝導率ＥＣ≦下限閾値ＥＣｂ２である（ＹＥＳ）と判定された場合には、循環水Ｗ２の濃縮倍率が十分に低下したと考えられるため、処理はステップＳＴ１０６へ移行する。また、ステップＳＴ１０５において、ブロー処理制御部２０１により、電気伝導率ＥＣ＞下限閾値ＥＣｂ２である（ＮＯ）と判定された場合には、循環水Ｗ２の濃縮倍率が低下していないと考えられるため、処理はステップＳＴ１０４へ戻る。
【００７８】
ステップＳＴ１０６（ステップＳＴ１０５：ＹＥＳ）において、ブロー処理制御部２０１は、補給水バルブ１３６を閉状態として、ブロー処理を終了する。これにより、本フローチャートの処理は終了する（ステップＳＴ１０１へリターンする）。
【００７９】
次に、薬注処理の制御について説明する。図６は、制御部２００において薬注処理の制御を実行する場合の処理手順を示すフローチャートである。図６に示すフローチャートの制御は、メモリ３００に記憶された制御プログラムに基づいて、制御部２００の薬注制御部２０２により実行される。また、図６に示すフローチャートの処理は、水処理システム１の運転中において、繰り返し実行される。
【００８０】
図６に示すステップＳＴ２０１において、薬注制御部２０２は、ブロー処理が開始（実行）されたか否かを判定する。薬注制御部２０２は、ブロー処理制御部２０１から出力される外部停止信号の有無により、ブロー処理が開始されたか否かを判定することができる。
【００８１】
このステップＳＴ２０１において、薬注制御部２０２により、ブロー処理が開始された（ＹＥＳ）と判定された場合に、処理はステップＳＴ２０２へ移行する。また、ステップＳＴ２０１において、薬注制御部２０２により、ブロー処理が開始されていない（ＮＯ）と判定された場合に、処理はステップＳＴ２０１へ戻る。
【００８２】
ステップＳＴ２０２（ステップＳＴ２０１：ＹＥＳ）において、薬注制御部２０２は、計時部２０３を起動して、ブロー処理の実行時間Ｔ１の計時をスタートさせる。
【００８３】
ステップＳＴ２０３において、薬注制御部２０２は、ブロー処理が終了したか否かを判定する。薬注制御部２０２は、ブロー処理制御部２０１から出力される外部停止信号の有無により、ブロー処理が終了したか否かを判定することができる。このステップＳＴ２０３において、薬注制御部２０２により、ブロー処理が終了した（ＹＥＳ）と判定された場合に、処理はステップＳＴ２０４へ移行する。また、ステップＳＴ２０３において、薬注制御部２０２により、ブロー処理が終了していない（ＮＯ）と判定された場合に、処理はステップＳＴ２０３へ戻る。
【００８４】
ステップＳＴ２０４（ステップＳＴ２０３：ＹＥＳ）において、薬注制御部２０２は、計時部２０３によるブロー処理の実行時間Ｔ１の計時をリセットさせ、計時されたブロー処理の実行時間Ｔ１をメモリ３００に記憶する。
【００８５】
ステップＳＴ２０５において、薬注制御部２０２は、ブロー処理の実行時間Ｔ１をメモリ３００から読み出し、ブロー処理の実行時間Ｔ１に比例した薬剤の投入量を算出すると共に、その投入量に対応したパルス幅を有するポンプ駆動信号を薬剤供給装置１３４に出力する。これにより、薬剤供給装置１３４において薬注処理が実行される。
【００８６】
ステップＳＴ２０６において、薬注制御部２０２は、薬注処理が終了したか否かを判定する。このステップＳＴ２０６において、薬注制御部２０２により、薬注処理が終了した（ＹＥＳ）と判定された場合に、本フローチャートの処理は終了する（ステップＳＴ２０１へリターンする）。また、ステップＳＴ２０６において、薬注処理が終了していない（ＮＯ）と判定された場合に、処理はステップＳＴ２０７へ移行する。
【００８７】
ステップＳＴ２０７（ステップＳＴ２０６：ＮＯ）において、薬注制御部２０２は、ブロー処理が開始（実行）されたか否かを判定する。このステップＳＴ２０７において、薬注制御部２０２により、ブロー処理が開始された（ＹＥＳ）と判定された場合に、処理はステップＳＴ２０８へ移行する。また、ステップＳＴ２０７において、薬注制御部２０２により、ブロー処理が開始されていない（ＮＯ）と判定された場合に、処理はステップＳＴ２０６へ戻る。
【００８８】
ステップＳＴ２０８（ステップＳＴ２０７：ＹＥＳ）において、薬注制御部２０２は、薬剤供給装置１３４へのポンプ駆動信号の出力を停止して、薬注処理を中断させる。また、薬注制御部２０２は、中断させた薬注処理において循環水Ｗ２に供給されなかった薬剤の投入量分をメモリ３００に記憶する。
【００８９】
ステップＳＴ２０９において、薬注制御部２０２は、計時部２０３を起動して、ブロー処理の実行時間Ｔ２の計時をスタートさせる。
【００９０】
ステップＳＴ２１０において、薬注制御部２０２は、ブロー処理が終了したか否かを判定する。このステップＳＴ２１０において、薬注制御部２０２により、ブロー処理が終了した（ＹＥＳ）と判定された場合に、処理はステップＳＴ２１１へ移行する。また、ステップＳＴ２１０において、薬注制御部２０２により、ブロー処理が終了していない（ＮＯ）と判定された場合に、処理はステップＳＴ２１０へ戻る。
【００９１】
ステップＳＴ２１１（ステップＳＴ２１０：ＹＥＳ）において、薬注制御部２０２は、計時部２０３によるブロー処理の実行時間Ｔ２の計時をリセットさせ、計時されたブロー処理の実行時間Ｔ２をメモリ３００に記憶する。
【００９２】
ステップＳＴ２１２において、薬注制御部２０２は、中断させた薬注処理において循環水Ｗ２に供給されなかった薬剤の投入量分をメモリ３００から読み出す。また、薬注制御部２０２は、ブロー処理の実行時間Ｔ２をメモリ３００から読み出し、ブロー処理の実行時間Ｔ２に比例した薬剤の投入量を算出する。そして、薬注制御部２０２は、中断させた薬注処理において循環水Ｗ２に供給されなかった薬剤の投入量分と、ブロー処理の実行時間Ｔ２に比例した薬剤の投入量分とを合計した量の薬剤が循環水Ｗ２に供給されるように、薬剤の合計量に対応したパルス幅を有するポンプ駆動信号を薬剤供給装置１３４に出力する。これにより、薬剤供給装置１３４において薬注処理が実行（再開）される。このステップＳＴ２１２における薬注処理が終了すると、本フローチャートの処理は終了する（ステップＳＴ２０１へリターンする）。
【００９３】
次に、補助薬注処理の制御について説明する。図７及び図８は、制御部２００において補助薬注処理の制御を実行する場合の処理手順を示すフローチャートである。図７及び図８に示すフローチャートの制御は、メモリ３００に記憶された制御プログラムに基づいて、制御部２００の薬注制御部２０２により実行される。また、図７及び図８に示すフローチャートの処理は、水処理システム１の運転中において、繰り返し実行される。
【００９４】
図７に示すステップＳＴ３０１において、薬注制御部２０２は、循環水ポンプ１３２へのポンプ運転信号の出力があるか否か（冷却塔１２０の運転中か否か）を判定する。このステップＳＴ３０１において、薬注制御部２０２により、循環水ポンプ１３２へのポンプ運転信号の出力がある（ＹＥＳ）と判定された場合に、処理はステップＳＴ３０２へ移行する。また、ステップＳＴ３０１において、薬注制御部２０２により、循環水ポンプ１３２へのポンプ運転信号の出力がない（ＮＯ）と判定された場合に、処理はステップＳＴ３０１へ戻る。
【００９５】
ステップＳＴ３０２（ステップＳＴ３０１：ＹＥＳ）において、薬注制御部２０２は、ブロー処理制御部２０１からの外部停止信号に基づいて、ブロー処理が終了したか否かを判定する。このステップＳＴ３０２において、薬注制御部２０２により、ブロー処理が終了した（ＹＥＳ）と判定された場合に、処理はステップＳＴ３０３へ移行する。また、ステップＳＴ３０２において、薬注制御部２０２により、ブロー処理が終了していない（ＮＯ）と判定された場合に、処理はステップＳＴ３０２へ戻る。
【００９６】
ステップＳＴ３０３（ステップＳＴ３０２：ＹＥＳ）において、薬注制御部２０２は、計時部２０３を起動して、滞留時間ＴＴの計時をスタートさせる。滞留時間ＴＴは、ブロー処理の終了、すなわち補給水バルブ１３６が閉状態とされてからの経過時間である。
【００９７】
ステップＳＴ３０４において、薬注制御部２０２は、計時部２０３で計時されている滞留時間ＴＴが許容滞留時間ＴＷを超過したか否かを判定する。薬注制御部２０２は、許容滞留時間ＴＷをメモリ３００から取得する。このステップＳＴ３０４において、薬注制御部２０２により、滞留時間ＴＴ＞許容滞留時間ＴＷである（ＹＥＳ）と判定された場合に、処理はステップＳＴ３０７へ移行する。また、ステップＳＴ３０４において、薬注制御部２０２により、滞留時間ＴＴ≦許容滞留時間ＴＷである（ＮＯ）と判定された場合に、処理はステップＳＴ３０５へ移行する。
【００９８】
ステップＳＴ３０５（ステップＳＴ３０４：ＮＯ）において、薬注制御部２０２は、ブロー処理制御部２０１からの外部停止信号に基づいて、ブロー処理が開始（実行）されたか否かを判定する。このステップＳＴ３０５において、薬注制御部２０２により、ブロー処理が開始された（ＹＥＳ）と判定された場合に、処理はステップＳＴ３０６へ移行する。また、ステップＳＴ３０５において、薬注制御部２０２により、ブロー処理が開始されていない（ＮＯ）と判定された場合に、処理はステップＳＴ３０４へ戻る。
【００９９】
ステップＳＴ３０６（ステップＳＴ３０５：ＹＥＳ）において、薬注制御部２０２は、計時部２０３による滞留時間ＴＴの計時をリセットさせる。これにより、本フローチャートの処理は終了する（ステップＳＴ３０１へリターンする）。滞留時間ＴＴが許容滞留時間ＴＷに達する前にブロー処理が実行された場合には、補助薬注処理を実行しないためである。
【０１００】
一方、ステップＳＴ３０７（ステップＳＴ３０４：ＹＥＳ）において、薬注制御部２０２は、予め設定された投入量の薬剤が循環水Ｗ２に供給されるように薬剤供給装置１３４により補助薬注処理を実行させる。また、薬注制御部２０２は、計時部２０３による滞留時間ＴＴの計時をリセットさせる。このように、冷却塔１２０の運転中に、滞留時間ＴＴが許容滞留時間ＴＷを超過した場合には、補助薬注処理が実行される。
【０１０１】
次に、図８に示すステップＳＴ３０８において、薬注制御部２０２は、ブロー処理が開始（実行）されたか否かを判定する。このステップＳＴ３０８において、薬注制御部２０２により、ブロー処理が開始された（ＹＥＳ）と判定された場合に、処理はステップＳＴ３０９へ移行する。また、ステップＳＴ３０８において、薬注制御部２０２により、ブロー処理が開始されていない（ＮＯ）と判定された場合に、処理はステップＳＴ３１４へ移行する。
【０１０２】
ステップＳＴ３０９（ステップＳＴ３０８：ＹＥＳ）において、薬注制御部２０２は、薬剤供給装置１３４へのポンプ駆動信号の出力を停止して、補助薬注処理を終了させる。これにより、本フローチャートの処理は終了する（ステップＳＴ３０６へ移行する）。
【０１０３】
一方、ステップＳＴ３１０（ステップＳＴ３０８：ＮＯ）において、薬注制御部２０２は、補助薬注処理が終了したか否かを判定する。このステップＳＴ３１０において、薬注制御部２０２により、補助薬注処理が終了した（ＹＥＳ）と判定された場合に、本フローチャートの処理は終了する（ステップＳＴ３０６へ移行する）。
【０１０４】
また、ステップＳＴ３１４において、薬注制御部２０２により、補助薬注処理が終了していない（ＮＯ）と判定された場合に、処理はステップＳＴ３０８へ戻る。このように、補助薬注処理の実行期間中にブロー処理が実行されなければ、補助薬注処理が途中で終了されることはない。
【０１０５】
上述した本実施形態の水処理システム１によれば、例えば、以下のような効果を奏する。
水処理システム１においては、薬注処理の実行中にブロー処理が実行されると、薬注処理の実行が中断されるため、ブロー処理と薬注処理とが同時期に実行されることが回避され、薬注処理により供給された薬剤が直ちに循環水Ｗ２の一部と共に系外に排出されることがない。従って、水処理システム１は、中断（停止）させた薬注処理の実行中に開始されるブロー処理により、薬剤が無駄に消費されるのを抑制することができる。
【０１０６】
また、水処理システム１において、ブロー処理により薬注処理を中断させた場合には、そのブロー処理の実行後に、中断させた薬注処理により供給されなかった薬剤の投入量分と、ブロー処理の実行時間Ｔに比例した薬剤の投入量とを合計した量の薬剤が循環水Ｗ２に供給される。従って、水処理システム１によれば、中断させた薬注処理の実行中に次のブロー処理が実行された場合でも、そのブロー処理の実行後に、必要量の薬剤を速やかに循環水Ｗ２に供給することができる。
【０１０７】
また、水処理システム１においては、冷却塔１２０の運転中であり、且つ補給水Ｗ１が冷却塔１２０へ供給されない滞留時間ＴＴが許容滞留時間ＴＷを超過した場合には、薬剤供給装置１３４において補助薬注処理が実行される。そのため、水処理システム１は、被冷却装置１３１の負荷が低い場合等において、循環水Ｗ２の水質の悪化を効果的に抑制することができる。
【０１０８】
以上、本発明の好適な実施形態について説明したが、本発明は上述した実施形態に限定されることなく、種々の形態で実施することができる。
【０１０９】
本実施形態では、ブロー処理の実行により必要となった薬剤の投入量を、ブロー処理の実行時間Ｔに基づいて算出する例について説明した。この例に限らず、ブロー処理の実行により必要となった薬剤の投入量を、ブロー処理中に冷却塔１２０に供給された補給水Ｗ１の補給水量に基づいて算出してもよい。補給水Ｗ１の補給水量は、例えば、第１補給水ラインＬ１２１に流量センサを設けることにより計測することができる。
【０１１０】
本実施形態では、循環水系を有する産業用設備として、循環水ラインＬ１１０を有する冷却塔１２０を例に説明した。この例に限らず、循環水系を有する産業用設備は、例えば、ボイラ装置であってもよい。
【０１１１】
ボイラ装置の場合、例えば、多管式の貫流ボイラでは、ボイラ本体で発生した気水混合物を上部ヘッダに連結された気水分離器で蒸気と飽和水とに分離し、飽和水を降水管（循環水系）により下部ヘッダに戻すように構成されている。従って、この種のボイラ装置において、循環水系を流通する水の一部を排出すると共に、外部から供給される補給水をボイラ本体に導入する処理を、ブロー処理と看做すことができる。
【０１１２】
本実施形態では、薬剤を循環水供給ラインＬ１１１に供給する例について説明した。しかし、薬剤を産業用設備としての冷却塔１２０へ供給することができれば、薬剤を供給する位置はこの例に限定されない。例えば、薬剤を冷却塔１２０の散水部（不図示）、貯留部１２２又は循環水回収ラインＬ１１２に供給してもよい。また、薬剤を補給水Ｗ１に供給してもよいし、補給水Ｗ１及び循環水Ｗ２の両方に供給してもよい。
【０１１３】
本実施形態では、ブロー処理として、補給水Ｗ１を強制的に冷却塔１２０へ供給することにより、循環水Ｗ２の一部を冷却塔１２０から系外に排出する例（強制補給）について説明した。このほかのブロー処理として、例えば、排水ラインＬ１３０に排水バルブを設け、この排水バルブを開いて循環水Ｗ２を冷却塔１２０から強制的に系外に排出することにより、補給水Ｗ１を冷却塔１２０へ供給させてもよい（強制排水）。この場合、排水ラインＬ１３０の上流側の端部は、貯留部１２２（図１参照）の底部に接続される。
【０１１４】
また、ブロー処理として、循環水Ｗ２の一部を循環水ラインＬ１１０から系外に排出してもよい。また、ブロー処理として、循環水Ｗ２の一部を冷却塔１２０及び循環水ラインＬ１１０の両方から系外に排出してもよい。
【０１１５】
本実施形態では、水質検出手段としての電気伝導率センサ１３３を循環水供給ラインＬ１１１に接続する例について説明した。これに限らず、電気伝導率センサ１３３を循環水回収ラインＬ１１２に接続してもよく、或いは貯留部１２２内に配置してもよい。
【０１１６】
本実施形態では、薬剤供給装置１３４の薬剤供給ポンプ（不図示）として、電磁駆動ダイアフラム式の定量ポンプを用いる例について説明した。この例に限らず、薬剤供給ポンプとして、プランジャーポンプ、ベローズポンプ等の定量吐出ポンプを用いてもよい。
【０１１７】
本実施形態では、冷却塔１２０を開放式冷却塔として構成した例について示した。この例に限らず、冷却塔１２０を密閉式冷却塔として構成してもよい。
【符号の説明】
【０１１８】
１  水処理システム
１００  システム制御装置
１２０  冷却塔（産業用設備）
１３１  被冷却装置
１３２  循環水ポンプ
１３３  電気伝導率センサ（水質検出手段）
１３４  薬剤供給装置（薬剤供給手段）
１３６  補給水バルブ（ブロー手段）
１３７  給水栓（ブロー手段）
１３８  流入口（ブロー手段）
２００  制御部
２０１  ブロー処理制御部
２０２  薬注制御部（薬剤供給制御部）
２０３  計時部
３００  メモリ（記憶部）
Ｌ１１０  循環水ライン
Ｌ１２０  補給水ライン
Ｌ１３０  排水ライン
Ｗ１  補給水
Ｗ２  循環水
【図１】
2014061495.tif 000003
【図２】
2014061495.tif 000004
【図３】
2014061495.tif 000005
【図４】
2014061495.tif 000006
【図５】
2014061495.tif 000007
【図６】
2014061495.tif 000008
【図７】
2014061495.tif 000009
【図８】
2014061495.tif 000010